(57)【特許請求の範囲】
【請求項１】
雨水を流すための通水部と、アンテナ部と、このアンテナ部の給電部に接続された給電路とを内部に備え、前記給電路の一端部に接続される外部接続用の接続具を外部に露出させたアンテナ付き竪樋と、
前記接続具に屋外側の端部が接続され、屋内側の端部が建物内の電気機器に接続される接続用ケーブルと、を備え、
前記アンテナ付き竪樋は、側方へ突出した側方突出部と、この側方突出部を上方から覆うカバー部とをさらに有し、前記給電路は、前記側方突出部と前記カバー部の間に収められ、前記接続具は、前記側方突出部から下方に突出し、
前記接続具に接続された状態の前記接続用ケーブルの屋外側に位置する部分は、中間部分が下方に突出した略Ｕ字状をなし、前記接続具との接続部分から前記中間部分までの部分が下向きに延び、
前記接続用ケーブルの屋外側に位置する部分の任意の箇所の外周に、水伝い防止用部材を取り付けたことを特徴とするアンテナ付き竪樋の取付構造。
【発明の詳細な説明】
【技術分野】
【０００１】
本発明は、排水機能を有するアンテナであるアンテナ付き竪樋の取付構造に関する。
【背景技術】
【０００２】
従来から、特許文献１等によって、竪樋に取り付けられる竪樋取付用アンテナが提案されている。
【０００３】
ところで、こういった竪樋取付用アンテナには、建物外壁から屋外へと引き出された接続用ケーブルの屋外側の端部が接続される。接続用ケーブルの屋内側の端部は、屋内のテレビやテレビ用のアンテナコンセント等の電気機器に接続される。
【先行技術文献】
【特許文献】
【０００４】
【特許文献１】特開平１−１６８１０１号公報
【発明の概要】
【発明が解決しようとする課題】
【０００５】
上述の接続用ケーブルの屋外側への引出口は、一般的に建物外壁の屋根際の部分に設けられ、竪樋取付用アンテナの位置に比べて高いことが多い。そのため、雨が降ると、この屋外側の接続用ケーブルを伝って、竪樋取付用アンテナと接続用ケーブルとの接続部分に水が入り込み、この接続部分が腐食するおそれがある。
【０００６】
そこで、上記事情を鑑みて、本発明は、アンテナ付き竪樋と屋外の接続用ケーブルとの接続部分にこの接続用ケーブルを伝って水が入り込むことを抑制できるアンテナ付き竪樋の取付構造を提案することを課題とする。
【課題を解決するための手段】
【０００７】
上記課題を解決するために本発明のアンテナ付き竪樋の取付構造は、雨水を流すための通水部と、アンテナ部と、このアンテナ部の給電部に接続された給電路とを内部に備え、前記給電路の一端部に接続される外部接続用の接続具を外部に露出させたアンテナ付き竪樋と、前記接続具に屋外側の端部が接続され、屋内側の端部が建物内の電気機器に接続される接続用ケーブルと、を備え、前記アンテナ付き竪樋は、側方へ突出した側方突出部と、この側方突出部を上方から覆うカバー部とをさらに有し、前記給電路は、前記側方突出部と前記カバー部の間に収められ、前記接続具は、前記側方突出部から下方に突出し、前記接続具に接続された状態の前記接続用ケーブルの屋外側に位置する部分は、中間部分が下方に突出した略Ｕ字状をなし、前記接続具との接続部分から前記中間部分までの部分が下向きに延び、前記接続用ケーブルの屋外側に位置する部分の任意の箇所の外周に、水伝い防止用部材を取り付けたことを特徴とする。
【発明の効果】
【０００９】
本発明のアンテナ付き樋の取付構造は、屋外側の接続用ケーブルの外周に取り付けた水伝い防止用部材によって、接続用ケーブルを伝って流れる水をせき止めて落下させることができる。これにより、本発明のアンテナ付き樋の取付構造では、アンテナ付き竪樋と接続用ケーブルとの接続部分にこの接続用ケーブルを伝って水が入り込むことを抑制できる。
【図面の簡単な説明】
【００１０】
【図１】（ａ）は本発明の実施形態のアンテナ付き竪樋の取付構造の要部斜視図であり、（ｂ）はその取付構造に取り付けられる水伝い防止用部材の斜視図である。
【図２】同上の取付構造に用いられる他の水伝い防止部材の斜視図である。
【図３】同上の取付構造を示す概略図である。
【図４】同上の取付構造のアンテナ付き竪樋の分解斜視図である。
【図５】同上の取付構造のアンテナ付き竪樋の要部斜視図である。
【発明を実施するための形態】
【００１１】
以下、本発明の実施形態について添付図面に基づいて説明する。
【００１２】
本実施形態の取付構造のアンテナ付き竪樋１は、図３に示されるように、建物外壁９０に沿って配設された竪樋８の上下方向の一部が取り除かれ、その取り除かれた部分に取り付けられる。つまり、アンテナ付き竪樋１は、建物外壁９０に沿って設置された竪樋８の一部を構成する。なお、アンテナ付き竪樋１は、新たに竪樋８を施工する際に取り付けられてもよいし、既に設置された竪樋８の一部を切除して、後付け的に取り付けられてもよい。
【００１３】
以下必要に応じて、竪樋８の一部を切除した後の上流側に位置する筒状の樋を「上流側の竪樋９１」とし、竪樋８の一部を切除した後の下流側に位置する筒状の樋を「下流側の竪樋９２」として区別する。上流側の竪樋９１は、エルボや呼び樋を介して軒樋の集水器に連通接続される。下流側の竪樋９２は、下流側の端部が排水溝に連通接続される。上流側の竪樋９１及び下流側の竪樋９２は、図３に示すように、端部が樋控え具９９を介して建物外壁９０に固定される。
【００１４】
アンテナ付き竪樋１は、電気機器に接続されて、電波の受信用のアンテナを構成する。具体的には、アンテナ付き竪樋１は、接続用ケーブル４を介して屋内のテレビやテレビ用のアンテナコンセント等の電気機器に接続されることで、テレビ用のアンテナとして用いられる。
【００１５】
本実施形態のアンテナ付き竪樋１は、図４に詳細な構成が示されている。アンテナ付き竪樋１は、樋体１０と、樋体１０の外側を覆う外筒体３と、樋体１０を上流側の竪樋９１に連通接続させるための上接続体４０と、樋体１０を下流側の竪樋９２に連通接続させるための下接続体５０とを備えている。
【００１６】
樋体１０は、円筒状の筒体からなる内筒体１１と、この内筒体１１の外周部１６に沿って設けられるアンテナ部２と、内筒体１１の内部に収容される筒状の通水部１２と、内筒体１１の上端に取り付けられる集水部１５とを備えている。
【００１７】
アンテナ部２は、第１分割体７１と第２分割体７２とを連結してなる平面視円環状の取付部材７により内筒体１１に固定される。通水部１２は、集水部１５に連通するように接続される。内筒体１１は、集水部１５に固定される。このようにアンテナ部２と内筒体１１と集水部１５と通水部１２とは一体化される。内筒体１１、通水部１２及び外筒体３は、アンテナ部２の電波受信の妨げとならないように、非導電性の合成樹脂により構成される。
【００１８】
通水部１２の上端部は、集水部１５及び上接続体４０を介して上流側の竪樋９１に連通し、通水部１２の下端部は、下流側の竪樋９２に連通して、雨水を流すための排水路を形成する。
【００１９】
アンテナ部２は、導電性を有する金属板材（金属箔も含まれる）に非導電性の保護シート２５を積層させ、この積層体をＣ字状に湾曲させて形成している。このように保護シート２５を金属板材に積層させることで、アンテナ部２の錆の発生を抑制できる。
【００２０】
アンテナ部２は、上下方向に複数のスロット２１が形成されたスロットアンテナ部２０により構成されており、指向性を有している。アンテナ部２は、このスロット２１が上下方向に複数並設されており（本実施形態では２箇所）、隣接するスロット２１同士がスリット状の細溝２２で接続されている。各スロット２１は、金属板材の厚み方向に貫通する開口により構成されており、一対の三角形の頂点同士を互いに突き合わせたようなボウタイ状に形成されている。上側のスロット２１は、上下方向の略中央部分に給電部２３を有している。この給電部２３は、周方向に対向する三角状片２４の頂点部分により構成されている。
【００２１】
アンテナ部２は、第一の周波数帯（例えば４７３〜６００ＭＨｚ）の電波を受信するように設けられた第一の受信部２６と、第二の周波数帯（例えば６００〜７２０ＭＨｚ）の電波を受信するように設けられた第二の受信部２７とを有する。第一の受信部２６は、スロット２１及び当該スロット２１の開口周縁部により構成される。第二の受信部２７は、このスロット２１に上下方向に隣接する周方向に連続した金属板材により構成される。
【００２２】
給電部２３には、給電路６をなすケーブル７５が電気的に接続される。ケーブル７５は、同軸ケーブルにより構成され、中央の電線が一方の三角状片２４に接続され且つ外側の網線が他方の三角状片２４に接続される。ケーブル７５は、一端部が給電部２３に接続され、他端部が、上接続体４０に設けられた外部接続用の接続具７６に接続される（図５参照）。この接続具７６は、いわゆるＦ型接栓により構成されている。ケーブル７５は、アンテナ部２により受信した電波を、接続具７６に出力する。このケーブル７５は、外筒体３と上接続体４０により外部から覆われている。
【００２３】
取付部材７は、給電部２３においてケーブル７５の端部を保持・固定する給電固定部７３と、ケーブル７５の中間部分を保持するケーブル保持部（図示せず）とを備えている。ケーブル保持部は、スロット２１とは周方向にずれた位置に設けられ、スロット２１にケーブル７５が重なるのを防ぐ。
【００２４】
外筒体３は、断面略円形状に形成され、その内径が、樋体１０より大きくなるよう形成され、樋体１０との間に隙間を介して離間している。この隙間がアンテナ部２に接続されたケーブル７５を通すための空間となる。
【００２５】
本実施形態のアンテナ付き竪樋１は、樋体１０及び外筒体３の下端が下接続体５０に回転自在に接続されている。また、樋体１０及び外筒体３の上端が上接続体４０に回転自在に接続されている。
【００２６】
上接続体４０は、図４に示されるように、回転部４２と、これを覆うカバー部４３とを備えている。上接続体４０は、その内部にケーブル７５を収容し、ケーブル７５の端部を外部に取り出すことができるよう構成されている。回転部４２は、樋体１０の外周面よりも側方に突出させて設けた側方突出部４２０を有している。この側方突出部４２０には、図５に示すように、内部（つまり、回転部４２とカバー部４３の間）にケーブル７５を導入するための導入部４２６と、導入されたケーブル７５の端部を外部に取り出すための導出部４２４を有している。この導出部４２４に、ケーブル７５の端部に設けられた接続具７６が固定され、接続具７６が側方突出部４２０の下面から下方に突出される。これにより、ケーブル７５の端部（接続具７６）は外部へ露出する。また、導入部４２６は、樋体１０に沿った弧状の長孔により構成され、樋体１０と外筒体３との間の空間と、回転部４２とカバー部４３との間の空間を連通する。
【００２７】
回転部４２は、樋体１０及び外筒体３に回転自在に接続される。そして、カバー部４３は、上流側の竪樋９１に回動自在に遊嵌される。
【００２８】
本実施形態では、上接続体４０は、樋体１０に対し相対的に持ち上げることで回転可能な状態となるように構成されている。一方、上接続体４０は、樋体１０に対して相対的に持ち上げられていない自然状態では、回転が規制されるよう構成されている。また、アンテナ付き竪樋１は、上接続体４０と樋体１０との相対的な回転を規制するか又は前記相対的な回転を許容するかを選択的に行なうロック部材４４を備えている。ロック部材４４は、回転部４２を回転規制された状態に保持することができる。
【００２９】
続いて、本実施形態の取付構造の接続用ケーブル４について説明する。
【００３０】
接続用ケーブル４は、屋内側の端部が屋内のテレビやテレビ用のアンテナコンセント等の電気機器に接続される。そして、接続用ケーブル４は、図１（ａ）及び図２に示すように、屋外側の端部４１が、建物外壁９０の屋根際の引出口９３から引き出されて、アンテナ付き竪樋１の接続具７６に接続される。なお、建物外壁９０の引出口９３は、屋根際よりも低い位置に設けてあってもよい。
【００３１】
本実施形態では、接続用ケーブル４のうち屋外側に位置する部分を、図１（ａ）に示すように、下向きに突出した略Ｕ字状を為すように弛ませている。つまり、建物外壁９０の引出口９３からの引き出し長さは、この引出口９３から接続具７６までの長さに応じて決められる。
【００３２】
このように屋外側の接続用ケーブル４を、下向きに突出した略Ｕ字状をなすようにすることで、屋外側の接続用ケーブル４の最下点を、接続用ケーブル４と接続具７６との接続部分よりも低い位置とすることができる。これにより、接続用ケーブル４を伝って流れる雨水を、この最下点に集めて落下させることができる。
【００３３】
接続用ケーブル４の屋外側の端部４１には、防水キャップ４５が取り付けられており、この防水キャップ４５により端部４１は覆われている。このように防水キャップ４５を取り付けるようにすることによっても、接続用ケーブル４と接続具７６との接続部分に水が浸入することを抑制できる。
【００３４】
続いて、本実施形態の取付構造の水伝い防止用部材５について説明する。
【００３５】
図１（ａ）及び図３に示すように、屋外側の接続用ケーブル４の任意の位置の外周には、この接続用ケーブル４を伝って流れる雨水をせき止めるための水伝い防止用部材５が取り付けられる。本実施形態では、水伝い防止用部材５を、屋外側の接続用ケーブル４の最下点に取り付けている。これにより、雨水の自重と、水伝い防止用部材５の堰き止め効果の両方で、雨水を一箇所に集めて落とすことができる。
【００３６】
水伝い防止用部材５としては、例えば、図１（ｂ）に示すような一部が非連続な環状のリング部材５１が挙げられる。このリング部材５１は、内径が接続用ケーブル４の外径よりも若干大きい寸法で形成され、内周面に、位置固定用の突起５２を備える。このように突起５２を設けることによって、取り付けた位置が安定する。なお、リング部材５１は、突起５２を備えず、内径が接続用ケーブル４の外径と同じかそれよりも若干小さい寸法で形成されるものであってもよい。
【００３７】
また、水伝い防止用部材５としては、他にも、図２に示すような螺旋状のばね部材５３が挙げられる。ばね部材５３は、接続用ケーブル４の外周に所定の長さに亘って取り付けられる。これによりばね部材５３は接続用ケーブル４に対して取り付けた位置が安定する。また、ばね部材５３は、所定の長さに亘って取り付けられることで、雨水を堰き止める箇所を広く設けることができ、リング部材５１に比べてさらなる堰き止め効果を発揮することができる。なお、ばね部材５３は、接続用ケーブル４に合わせて専用に形成しなくとも、市販のばねを転用することもできる。
【００３８】
上述した本実施形態のアンテナ付き竪樋１の取付構造の施工手順の一例について、説明する。
【００３９】
アンテナ付き竪樋１を設置するには、施工者は、上接続体４０に上流側の竪樋９１の下端部を接続し、下接続体５０を下流側の竪樋９２の上端部に接続する。この後、下接続体５０を、導電性樹脂により形成された樋控え具８０を介して建物外壁９０に固定する。この状態のアンテナ付き竪樋１は、下方にずれないように且つ上流側の竪樋９１に対し回動自在となるよう建物外壁９０に支持されている。
【００４０】
次いで施工者は、アンテナ部２が放送電波を最も強く受信できるよう、アンテナ付き竪樋１を上流側の竪樋９１及び下流側の竪樋９２に対して回動させる。このときアンテナ付き竪樋１は、固定された下接続体５０に対し、樋体１０が回動自在であるため、施工者はアンテナ部２の向きを微調整することができる。微調整後、施工者は、アンテナ付き竪樋１を、上端部で別の樋控え具８０により固定する。
【００４１】
次に施工者は、アンテナ付き竪樋１の上接続体４０を回転させて、側方突出部４２０を建物外壁９０に沿わせる。そして、施工者は、ロック部材４４を回転させて、上接続体４０の回転をロックする。
【００４２】
次に、施工者は、上接続体４０の下面から外部に露出した接続具７６に、接続用ケーブル４の屋外側の端部４１を接続する。このとき、屋外側に位置する接続用ケーブル４を、図１（ａ）及び図３に示すように、下向きに突出した略Ｕ字状を為すように弛ませる。そして、この屋外側に位置する接続用ケーブル４の任意の箇所の外周に、水伝い防止用部材５を取り付ける。本実施形態では、略Ｕ字状をなす接続用ケーブル４のうち最も低い位置となる箇所に水伝い防止用部材５を取り付けている。
【００４３】
以上のようにして施工された本実施形態のアンテナ付き竪樋１の取付構造では、雨が降って、接続用ケーブル４を伝って雨水が流れる際に、この雨水を水伝い防止用部材５で堰き止めて落下させることができる。これによりアンテナ付き竪樋１の接続具７６と接続用ケーブル４の接続部分に水が浸入することを抑制できる。また、この水伝い防止用部材５を取り付ける位置を屋外側の接続用ケーブル４のうち最も低い位置とすることで、水の自重と、水伝い防止用部材５による堰き止め効果の両方で水を一箇所に効率よく集めて落下させることができる。
【００４４】
また、強風雨の際などの、屋外側の接続用ケーブル４が下向きに突出する略Ｕ字状をなさない場合でも、水伝い防止用部材５により接続用ケーブル４を伝って流れる雨水を堰き止めることができ、これにより接続部分への水の浸入を抑制できる。
【００４５】
以上のように、本実施形態のアンテナ付き竪樋１の取付構造は、アンテナ付き竪樋１と、接続用ケーブル４と、を備え、この接続用ケーブル４の屋外側に位置する部分の任意の箇所の外周に、水伝い防止用部材５を取り付けている。アンテナ付き竪樋１は、雨水を流すための通水部１２と、アンテナ部２と、このアンテナ部２の給電部２３に接続された給電路６とを内部に備え、給電路６の一端部に接続される外部接続用の接続具７６を外部に露出させている。接続用ケーブル４は、接続具７６に屋外側の端部が接続され、屋内側の端部が建物内の電気機器に接続される。
【００４６】
このような構成とすることで、本実施形態のアンテナ付き竪樋１の取付構造では、屋外側の接続用ケーブル４の外周に取り付けた水伝い防止用部材５によって、接続用ケーブル４を伝って流れる雨水をせき止めて落下させることができる。これにより、本発明のアンテナ付き竪樋１の取付構造では、アンテナ付き竪樋１と接続用ケーブル４との接続部分にこの接続用ケーブル４を伝って水が入り込むことを抑制でき、この接続部分の腐食を防止できる。
【００４７】
また、本実施形態のアンテナ付き竪樋１の取付構造では、接続用ケーブル４の屋外側に位置する部分は、下向きに突出した略Ｕ字状をなしている。
【００４８】
このように接続用ケーブル４の屋外側に位置する部分を下向きに突出した略Ｕ字状とすることで、接続具７６に至るまでの接続用ケーブル４の一部を、接続用ケーブル４と接続具７６との接続部分よりも下方に位置させることができる。そのため、接続用ケーブル４を伝う水をこの接続部分よりも下方に位置する部分の最下点に集めて落下させることができる。これにより、本発明のアンテナ付き竪樋１の取付構造では、上述した水伝い防止用部材５による堰き止め効果も加わって、アンテナ付き竪樋１と接続用ケーブル４との接続部分にこの接続用ケーブル４を伝って水が入り込むことをさらに抑制できる。
【００４９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５０】
１      アンテナ付き竪樋
２      アンテナ部
４      接続用ケーブル
５      水伝い防止用部材
６      給電路
２３    給電部
４１    端部
７６    接続具
【図１】
0005923703.tif 000002
【図２】
0005923703.tif 000003
【図３】
0005923703.tif 000004
【図４】
0005923703.tif 000005
【図５】
0005923703.tif 000006